(57)【要約】      （修正有）【課題】上面に突出する梁部を有するデッキプレートを使用する場合であっても、ワイヤーメッシュを安定的に保持する配筋用スペーサを提供すること。【解決手段】デッキプレートＤＰ上に放射状に水平配置してワイヤーメッシュを載置する第一鉄筋載置部、第二鉄筋載置部、第三鉄筋載置部および第四鉄筋載置部と、各遠位端でデッキプレートに向けて垂設する第一鉄筋支持脚部、第二鉄筋支持脚部、第三鉄筋支持脚部および第四鉄筋支持脚部とを備えたコンクリート用鉄線からなる配筋用スペーサであって、第一鉄筋支持脚部、第一鉄筋載置部、第四鉄筋載置部、第四鉄筋支持脚部の配置順序で一連一体に構成され、第二鉄筋支持脚部、第二鉄筋載置部、第三鉄筋載置部、第三鉄筋支持脚部の配置順序で一連一体に構成され、第一鉄筋載置部と第二鉄筋載置部と第三鉄筋載置部と第四鉄筋載置部とが、各近位端で相互に結合している配筋用スペーサ１００。【選択図】図２
2020060047.tif 000002
【特許請求の範囲】
【請求項１】
デッキプレート上に敷設されるワイヤーメッシュの底面に放射状に水平配置して前記ワイヤーメッシュを載置する第一鉄筋載置部、第二鉄筋載置部、第三鉄筋載置部および第四鉄筋載置部と、該第一鉄筋載置部、第二鉄筋載置部、第三鉄筋載置部および第四鉄筋載置部の各遠位端で前記デッキプレートに向けて垂設する第一鉄筋支持脚部及び第二鉄筋支持脚部、第三鉄筋支持脚部および第四鉄筋支持脚部とを備えたコンクリート用鉄線からなる配筋用スペーサであって、
前記第一鉄筋支持脚部と第一鉄筋載置部と第四鉄筋載置部と第四鉄筋支持脚部とが、第一鉄筋支持脚部、第一鉄筋載置部、第四鉄筋載置部、第四鉄筋支持脚部の配置順序で一連一体に構成され、
前記第二鉄筋支持脚部と第二鉄筋載置部と第三鉄筋載置部と第三鉄筋支持脚部とが、第二鉄筋支持脚部、第二鉄筋載置部、第三鉄筋載置部、第三鉄筋支持脚部の配置順序で一連一体に構成され、
第一鉄筋載置部と第二鉄筋載置部と第三鉄筋載置部と第四鉄筋載置部とが、各近位端で相互に結合していることを特徴とする配筋用スペーサ。
【請求項２】
前記第一鉄筋載置部と第四鉄筋載置部とが、直線状に配置構成され、
前記第二鉄筋載置部と第三鉄筋載置部とが、直線状に配置構成されていることを特徴とする請求項１記載の配筋用スペーサ。
【請求項３】
前記第一鉄筋載置部と第二鉄筋載置部と第三鉄筋載置部と第四鉄筋載置部とが、同一の高さに配置構成されていることを特徴とする請求項１または請求項２に記載の配筋用スペーサ。
【請求項４】
前記第一鉄筋支持脚部と第二鉄筋支持脚部と第三鉄筋支持脚部と第四鉄筋支持脚部とを結ぶ線により形成される仮想長方形の長辺の長さが、前記デッキプレートの隣接する下フランジ間内側寸法よりも大きく、下フランジ間外側寸法よりも小さい長さに設定されていることを特徴とする請求項１ないし請求項３のいずれかひとつに記載の配筋用スペーサ。
【請求項５】
デッキプレート上に敷設されるワイヤーメッシュの底面に放射状に水平配置して前記ワイヤーメッシュを載置する第一鉄筋載置部、第二鉄筋載置部、第三鉄筋載置部および第四鉄筋載置部と、該第一鉄筋載置部、第二鉄筋載置部、第三鉄筋載置部および第四鉄筋載置部の各遠位端で前記デッキプレートに向けて垂設する第一鉄筋支持脚部及び第二鉄筋支持脚部、第三鉄筋支持脚部および第四鉄筋支持脚部とを備えたコンクリート用鉄線からなり、前記第一鉄筋支持脚部と第一鉄筋載置部と第四鉄筋載置部と第四鉄筋支持脚部とが、第一鉄筋支持脚部、第一鉄筋載置部、第四鉄筋載置部、第四鉄筋支持脚部の配置順序で一連一体に構成され、前記第二鉄筋支持脚部と第二鉄筋載置部と第三鉄筋載置部と第三鉄筋支持脚部とが、第二鉄筋支持脚部、第二鉄筋載置部、第三鉄筋載置部、第三鉄筋支持脚部の配置順序で一連一体に構成され、前記第一鉄筋載置部と第二鉄筋載置部と第三鉄筋載置部と第四鉄筋載置部とが、各近位端で相互に結合している配筋用スペーサを用いる合成スラブの施工方法であって、
前記配筋用スペーサの第一鉄筋支持脚部と第二鉄筋支持脚部とを第一の下フランジ上に載置するとともに第三鉄筋支持脚部と第四鉄筋支持脚部とを第二の下フランジ上に載置することにより、前記配筋用スペーサを前記デッキプレート上に等間隔に複数配設し、
その後に、前記ワイヤーメッシュを載置して敷設し、
次いで、コンクリートを打設することを特徴とする合成スラブの施工方法。
【発明の詳細な説明】
【技術分野】
【０００１】
本発明は、上面に突出する梁部を有するデッキプレートを使用する場合であっても、その上で鉄筋を支持する配筋用スペーサに関するものであって、特に、合成スラブの施工時に使用されるひび割れ拡大防止用の鉄筋として敷設されるワイヤーメッシュをデッキプレートから離間した高さに支持する配筋用スペーサに関するものである。
【背景技術】
【０００２】
従来、合成スラブの施工時に使用される配筋用スペーサとして、デッキプレートの上フランジ上に載置しワイヤーメッシュを嵌合して用いるもの（特許文献１参照）、デッキプレートの山部に嵌合させて用いるもの（特許文献２参照）、直線状の載置部に逆Ｕ字状の脚部を設けたものであって、デッキプレートの下フランジにデッキ方向に沿って載置して用いられるもの（特許文献３参照）が知られており、これらに対し本発明者は、先にデッキプレート上に載置して安定的に自立させるとともにデッキプレートの幅調整板のような山部がない場所や柱周りにも配設することができ、また、ワイヤーメッシュを配筋用スペーサ上に載置するだけで高さを安定的に保持する配筋用スペーサを提案している（特許文献４参照）。
【先行技術文献】
【特許文献】
【０００３】
【特許文献１】特開２０１２―９７４１７号公報
【特許文献２】特開２０１０―１２１２７１号公報
【特許文献３】実用新案登録第３０２８０３８号公報
【特許文献４】特許第６１５９８４２号
【発明の概要】
【発明が解決しようとする課題】
【０００４】
しかしながら、梁部が上面に突出しているタイプのデッキプレートは、梁部の立ち上がりの構造上、デッキプレートのデッキ方向の曲げには抵抗するものの、梁部に対する横向きの力が加わると容易に倒れてしまうおそれがあるので、施工作業者がワイヤーメッシュの上に乗って作業をすることを前提とすれば、梁部に荷重がかかるようなスペーサは採用できない。
このため、上述したような従来の配筋用スペーサのうち、デッキプレートの上フランジ上に載置して用いるタイプのものは、梁部の上に載置して用いることができず、デッキプレートの梁部に嵌合させて用いるタイプのものも同様に採用できず、直線状の載置部に逆Ｕ字状の脚部を設けたものの場合には、スペーサ配設時および鉄筋載置時にスペーサが極めて転倒しやすいという問題があった。
また、本発明者が先に提案したスペーサは、鉄筋載置部を実質的に３本の脚により支承するものであるため、梁部が上面に高く突出しているデッキプレートにおいて梁部を跨ぐように配設して用いる場合には、安定性が失われる懸念がある。
【０００５】
そこで、本発明は、前述したような従来技術の問題を解決するものであって、すなわち、本発明の目的は、上面に突出する梁部を有するデッキプレートを使用する場合であっても、デッキプレート上に載置して安定的に自立し、ワイヤーメッシュを載置するだけで高さを安定的に保持する配筋用スペーサを提供することである。
【課題を解決するための手段】
【０００６】
本請求項１に係る発明は、デッキプレート上に敷設されるワイヤーメッシュの底面に放射状に水平配置して前記ワイヤーメッシュを載置する第一鉄筋載置部、第二鉄筋載置部、第三鉄筋載置部および第四鉄筋載置部と、該第一鉄筋載置部、第二鉄筋載置部、第三鉄筋載置部および第四鉄筋載置部の各遠位端で前記デッキプレートに向けて垂設する第一鉄筋支持脚部及び第二鉄筋支持脚部、第三鉄筋支持脚部および第四鉄筋支持脚部とを備えたコンクリート用鉄線からなる配筋用スペーサであって、前記第一鉄筋支持脚部と第一鉄筋載置部と第四鉄筋載置部と第四鉄筋支持脚部とが、第一鉄筋支持脚部、第一鉄筋載置部、第四鉄筋載置部、第四鉄筋支持脚部の配置順序で一連一体に構成され、前記第二鉄筋支持脚部と第二鉄筋載置部と第三鉄筋載置部と第三鉄筋支持脚部とが、第二鉄筋支持脚部、第二鉄筋載置部、第三鉄筋載置部、第三鉄筋支持脚部の配置順序で一連一体に構成され、第一鉄筋載置部と第二鉄筋載置部と第三鉄筋載置部と第四鉄筋載置部とが、各近位端で相互に結合していることにより、前述した課題を解決するものである。
【０００７】
本請求項２に係る発明は、請求項１に記載された配筋用スペーサの構成に加えて、前記第一鉄筋載置部と第四鉄筋載置部とが、直線状に配置構成され、前記第二鉄筋載置部と第三鉄筋載置部とが、直線状に配置構成されていることにより、前述した課題を解決するものである。
【０００８】
本請求項３に係る発明は、請求項１または請求項２に記載された配筋用スペーサの構成に加えて、前記第一鉄筋載置部と第二鉄筋載置部と第三鉄筋載置部と第四鉄筋載置部とが、同一の高さに配置構成されていることにより、前述した課題をさらに解決するものである。
【０００９】
本請求項４に係る発明は、請求項１ないし請求項３に記載された配筋用スペーサの構成に加えて、前記第一鉄筋支持脚部と第二鉄筋支持脚部と第三鉄筋支持脚部と第四鉄筋支持脚部とを結ぶ線により形成される仮想長方形の長辺の長さが、前記デッキプレートの隣接する下フランジ間内側寸法よりも大きく、下フランジ間外側寸法よりも小さい長さに設定されていることにより、前述した課題をさらに解決するものである。
【００１０】
本請求項５に係る発明は、デッキプレート上に敷設されるワイヤーメッシュの底面に放射状に水平配置して前記ワイヤーメッシュを載置する第一鉄筋載置部、第二鉄筋載置部、第三鉄筋載置部および第四鉄筋載置部と、該第一鉄筋載置部、第二鉄筋載置部、第三鉄筋載置部および第四鉄筋載置部の各遠位端で前記デッキプレートに向けて垂設する第一鉄筋支持脚部及び第二鉄筋支持脚部、第三鉄筋支持脚部および第四鉄筋支持脚部とを備えたコンクリート用鉄線からなり、前記第一鉄筋支持脚部と第一鉄筋載置部と第四鉄筋載置部と第四鉄筋支持脚部とが、第一鉄筋支持脚部、第一鉄筋載置部、第四鉄筋載置部、第四鉄筋支持脚部の配置順序で一連一体に構成され、前記第二鉄筋支持脚部と第二鉄筋載置部と第三鉄筋載置部と第三鉄筋支持脚部とが、第二鉄筋支持脚部、第二鉄筋載置部、第三鉄筋載置部、第三鉄筋支持脚部の配置順序で一連一体に構成され、前記第一鉄筋載置部と第二鉄筋載置部と第三鉄筋載置部と第四鉄筋載置部とが、各近位端で相互に結合している配筋用スペーサを用いる合成スラブの施工方法であって、前記配筋用スペーサの第一鉄筋支持脚部と第二鉄筋支持脚部とを前記デッキプレートの第一の下フランジ上に載置するとともに第三鉄筋支持脚部と第四鉄筋支持脚部とを第二の下フランジ上に載置することにより、前記配筋用スペーサを前記デッキプレート上に等間隔に複数配設し、その後に、前記ワイヤーメッシュを載置して敷設し、次いで、コンクリートを打設することにより、前述した課題をさらに解決するものである。
【発明の効果】
【００１１】
本発明の請求項１に係る配筋用スペーサによれば、デッキプレート上に敷設されるワイヤーメッシュの底面に放射状に水平配置して前記ワイヤーメッシュを載置する第一鉄筋載置部、第二鉄筋載置部、第三鉄筋載置部および第四鉄筋載置部と、該第一鉄筋載置部、第二鉄筋載置部、第三鉄筋載置部および第四鉄筋載置部の各遠位端で前記デッキプレートに向けて垂設する第一鉄筋支持脚部及び第二鉄筋支持脚部、第三鉄筋支持脚部および第四鉄筋支持脚部とを備えたコンクリート用鉄線からなる配筋用スペーサであって、前記第一鉄筋支持脚部と第一鉄筋載置部と第四鉄筋載置部と第四鉄筋支持脚部とが、第一鉄筋支持脚部、第一鉄筋載置部、第四鉄筋載置部、第四鉄筋支持脚部の配置順序で一連一体に構成され、前記第二鉄筋支持脚部と第二鉄筋載置部と第三鉄筋載置部と第三鉄筋支持脚部とが、第二鉄筋支持脚部、第二鉄筋載置部、第三鉄筋載置部、第三鉄筋支持脚部の配置順序で一連一体に構成され、第一鉄筋載置部と第二鉄筋載置部と第三鉄筋載置部と第四鉄筋載置部とが、各近位端で相互に結合していることにより、前記第一鉄筋支持脚部と第一鉄筋載置部と第四鉄筋載置部と第四鉄筋支持脚部とが形成するゲート状の構成と、前記第二鉄筋支持脚部と第二鉄筋載置部と第三鉄筋載置部と第三鉄筋支持脚部とが形成するゲート状の構成とが、それぞれ前記ワイヤーメッシュ等の荷重を支持するとともに荷重を四つの支持脚部に分散し、コンクリート用鉄線で構成されていても十分な強度を発揮し、さらに各ゲート状の構成が相互に転倒を防止しているため、デッキプレート上に載置しても転倒しにくくすることができる。
【００１２】
本発明の請求項２に係る発明の配筋用スペーサによれば、請求項１に記載の発明が奏する効果に加えて、前記第一鉄筋載置部と第四鉄筋載置部とが、直線状に配置構成され、前記第二鉄筋載置部と第三鉄筋載置部とが、直線状に配置構成されていることにより、前記第一鉄筋載置部と第四鉄筋載置部とが形成する水平な直線状の構成と、前記第二鉄筋載置部と第三鉄筋載置部とが形成する水平な直線状の構成とが、それぞれ前記ワイヤーメッシュの下面に複数個所で当接するため、ワイヤーメッシュの荷重を分散して支持することができる。
【００１３】
本請求項３に係る発明の配筋用スペーサによれば、請求項１または請求項２に記載の発明が奏する効果に加えて、前記第一鉄筋載置部と第二鉄筋載置部と第三鉄筋載置部と第四鉄筋載置部とが、同一の高さに配置構成されているため、前記第一鉄筋載置部と第二鉄筋載置部と第三鉄筋載置部と第四鉄筋載置部とが形成する放射状の同じ高さの構成が、前記ワイヤーメッシュの下面に複数個所で当接するため、ワイヤーメッシュの荷重をいっそう分散して支持することができる。
【００１４】
本請求項４に係る発明の配筋用スペーサによれば、請求項１ないし請求項３に記載の発明が奏する効果に加えて、前記第一鉄筋支持脚部と第二鉄筋支持脚部と第三鉄筋支持脚部と第四鉄筋支持脚部とを結ぶ線により形成される仮想長方形の長辺の長さが、前記デッキプレートの隣接する下フランジ間内側寸法よりも大きく、下フランジ間外側寸法よりも小さい長さに設定されているため、隣接する下フランジ上に各支持脚部を載置して、転倒しにくく十分な強度を保つことができる。
【００１５】
本請求項５に係る発明の合成スラブの施工方法によれば、デッキプレート上に敷設されるワイヤーメッシュの底面に放射状に水平配置して前記ワイヤーメッシュを載置する第一鉄筋載置部、第二鉄筋載置部、第三鉄筋載置部および第四鉄筋載置部と、該第一鉄筋載置部、第二鉄筋載置部、第三鉄筋載置部および第四鉄筋載置部の各遠位端で前記デッキプレートに向けて垂設する第一鉄筋支持脚部及び第二鉄筋支持脚部、第三鉄筋支持脚部および第四鉄筋支持脚部とを備えたコンクリート用鉄線からなり、前記第一鉄筋支持脚部と第一鉄筋載置部と第四鉄筋載置部と第四鉄筋支持脚部とが、第一鉄筋支持脚部、第一鉄筋載置部、第四鉄筋載置部、第四鉄筋支持脚部の配置順序で一連一体に構成され、前記第二鉄筋支持脚部と第二鉄筋載置部と第三鉄筋載置部と第三鉄筋支持脚部とが、第二鉄筋支持脚部、第二鉄筋載置部、第三鉄筋載置部、第三鉄筋支持脚部の配置順序で一連一体に構成され、前記第一鉄筋載置部と第二鉄筋載置部と第三鉄筋載置部と第四鉄筋載置部とが、各近位端で相互に結合している配筋用スペーサを用いる合成スラブの施工方法であって、前記配筋用スペーサの第一鉄筋支持脚部と第二鉄筋支持脚部とを第一の下フランジ上に載置するとともに第三鉄筋支持脚部と第四鉄筋支持脚部とを第二の下フランジ上に載置することにより、前記配筋用スペーサを前記デッキプレート上に等間隔に複数配設し、その後に、前記ワイヤーメッシュを載置して敷設し、次いで、コンクリートを打設することにより、前記第一鉄筋支持脚部と第一鉄筋載置部と第四鉄筋載置部と第四鉄筋支持脚部とが形成するゲート状の構成と、前記第二鉄筋支持脚部と第二鉄筋載置部と第三鉄筋載置部と第三鉄筋支持脚部とが形成するゲート状の構成とが、それぞれ前記ワイヤーメッシュ等の荷重を支持するとともに荷重を四つの支持脚部に分散し、さらに各ゲート状の構成が相互に転倒を防止しているため、コンクリート用鉄線で構成されていても十分な強度を発揮し、デッキプレート上に載置しても転倒しにくく、上方に突出する梁部を有するデッキプレートを使用する場合であっても、梁部への加重を避け、ワイヤーメッシュを安定して支持することができる。
【図面の簡単な説明】
【００１６】
【図１】本発明の配筋用スペーサをデッキプレート上に配設し、ワイヤーメッシュを敷設した態様の模式図。
【図２】本発明の配筋用スペーサをデッキプレート上に載置した状態を示す斜視図。
【図３】本発明の第一の実施例に係る配筋用スペーサを示す三面図。
【図４】本発明の配筋用スペーサとデッキプレートの寸法関係を示す説明図。
【図５】本発明の第二の実施例に係る配筋用スペーサの配置を示す説明図。
【図６】本発明の第三の実施例に係る配筋用スペーサとデッキプレートの寸法関係を示す説明図。
【図７】本発明の第四の実施例に係る配筋用スペーサを示す斜視図。
【発明を実施するための形態】
【００１７】
本発明は、前記第一鉄筋支持脚部と第一鉄筋載置部と第三鉄筋載置部と第三鉄筋支持脚部とが形成するゲート状の構成と、前記第二鉄筋支持脚部と第二鉄筋載置部と第四鉄筋載置部と第四鉄筋支持脚部とが形成するゲート状の構成とが、それぞれ前記ワイヤーメッシュ等の荷重を支持するとともに荷重を四つの支持脚部に分散し、さらに各ゲート状の構成が相互に転倒を防止するため、径の細い鉄線により配筋用スペーサを構成しても十分な強度を発揮し、デッキプレート上に載置しても転倒しにくくすることができるものであれば、その具体的な実施態様は、如何なるものであっても構わない。
【００１８】
すなわち、本発明の配筋用スペーサ１００で採用する第一鉄筋載置部、第二鉄筋載置部、第三鉄筋載置部および第四鉄筋載置部の具体的な形状については、デッキプレートの水平面と平行な棒状に形成されていれば、平面視で直線状に限らず円弧状、Ｓ字状などを含む任意の形状に屈曲形成されていて良い。
いずれの場合にも、第一鉄筋載置部、第二鉄筋載置部、第三鉄筋載置部および第四鉄筋載置部の遠位端からそれぞれデッキプレートに向けて垂接された第一鉄筋支持脚部、第二鉄筋支持脚部、第三鉄筋支持脚部および第四鉄筋支持脚部の４ヶ所で、所謂、４点支持状態で自立させることができるため、配筋用スペーサ１００が転倒しにくく安定性が高い。
【００１９】
第一鉄筋支持脚と第三鉄筋支持脚の距離および第二鉄筋支持脚と第四鉄筋支持脚の距離、すなわち幅方向の脚部間寸法が、使用するワイヤーメッシュＷＭの網目寸法Ｓよりも大きくなるように、第一鉄筋支持脚部、第二鉄筋支持脚部、第三鉄筋支持脚部および第四鉄筋支持脚部を形成すれば、縦横に配筋用スペーサ１００を複数配置する通常の使用方法において、一つの配筋用スペーサ１００が複数個所でワイヤーメッシュＷＭを支持し脱落が起きないため所要のかぶり厚さを確保することができ、好ましい。
上記幅方向の脚部間寸法を、使用する鉄筋格子の網目寸法Ｓの２倍の長さよりも大きく設定すれば、一つの配筋用スペーサ１００が一層確実に複数個所でワイヤーメッシュＷＭを支持し脱落が起きないため、より一層好ましい。
【００２０】
本発明で採用する第一鉄筋支持脚部、第二鉄筋支持脚部、第三鉄筋支持脚部および第四鉄筋支持脚部の具体的な形状、構造については、第一鉄筋載置部、第二鉄筋載置部、第三鉄筋載置部よび第四鉄筋載置部の遠位端でそれぞれ前記デッキプレートに向けて垂設されていれば、如何なるものであっても構わない。
例えば、第一鉄筋支持脚部、第二鉄筋支持脚部、第三鉄筋支持脚部および第四鉄筋支持脚部は、第一鉄筋載置部、第二鉄筋載置部、第三鉄筋載置部および第四鉄筋載置部を形成する丸棒材をそれぞれの遠位端で直角に曲げて形成してもよい。
【００２１】
本発明で採用する第一鉄筋支持脚部、第二鉄筋支持脚部、第三鉄筋支持脚部および第四鉄筋支持脚部の脚部長さｈは、図３に示すように上方に突出する梁部を有するデッキプレートを使用する場合には、その梁部高さすなわちデッキプレートの最大高低差Ｈよりも大きく形成するのが好ましい。
このような寸法関係になっていれば、第一鉄筋載置部、第二鉄筋載置部、第三鉄筋載置部および第四鉄筋載置部がデッキプレートの梁部ＤＢを跨ぎ、かつその梁部ＤＢの一方側（梁部ＤＢと右立上部ＤＲとの中間部）にある下フランジに第一鉄筋支持脚部および第二鉄筋支持脚部が載置されるとともに他方側（梁部ＤＢと左立上部ＤＬとの中間部）にある下フランジに第三鉄筋支持脚部および第四鉄筋支持脚部が載置されるため、容易に位置決めをし、安定的に配設することができるからである。
【００２２】
本発明で採用する第一鉄筋支持脚部、第二鉄筋支持脚部、第三鉄筋支持脚部及び第四鉄筋支持脚部は、図３に示すように第一鉄筋支持脚部と第二鉄筋支持脚部と第三鉄筋支持脚部と第四鉄筋支持脚部とを結ぶ線により形成される仮想長方形の長辺の長さが、デッキプレートの複数の下フランジＤＦ間の距離に対応していることが好ましく、特に上方に突出する梁部ＤＢを有するデッキプレートＤＰを使用する場合には、その梁部ＤＢの両側にある下フランジＤＦの下フランジ間内側寸法Ｗ１よりも大きく形成されているのが好ましい。特に、このような仮想長方形の長辺の長さのうち、各鉄筋支持脚部の相互に最も近い点を結んだ幅方向脚部間内側寸法Ｌ１が、図４に示すようにデッキプレートの梁部ＤＢの両側にある下フランジＤＦの下フランジ間内側寸法Ｗ１よりも大きく形成されているのが好ましい。
【００２３】
このような寸法関係になっていれば、各鉄筋支持脚部が第一鉄筋支持脚部および第二鉄筋支持脚部をデッキプレートの梁部ＤＢの一方側（梁部ＤＢと右立上部ＤＲとの中間部）にある下フランジＤＦに載置し、第三鉄筋支持脚部および第四鉄筋支持脚部を梁部ＤＢの他方側（梁部ＤＢと左立上部ＤＬとの中間部）にある下フランジＤＦに載置し、第一鉄筋載置部、第二鉄筋載置部、第三鉄筋載置部および第四鉄筋載置部がデッキプレートＤＰの梁部ＤＢを跨ぐように安定的に配設することができるからである。
【００２４】
さらに、本発明で採用する第一鉄筋支持脚部、第二鉄筋支持脚部、第三鉄筋支持脚部および第四鉄筋支持脚部は、図３に示すように第一鉄筋支持脚部と第二鉄筋支持脚部と第三鉄筋支持脚部と第四鉄筋支持脚部とを結ぶ線により形成される仮想長方形の長辺の長さが、デッキプレートの複数の下フランジＤＦ間の距離に対応していることが好ましく、特に上方に突出する梁部ＤＢを有するデッキプレートＤＰを使用する場合には、その梁部ＤＢの両側にある二つの下フランジの下フランジ間外側寸法Ｗ２よりも小さく形成されているのが好ましい。特に、このような仮想長方形の長辺の長さのうち、各鉄筋支持脚部の相互に最も遠い点を結んだ幅方向脚部間外側寸法Ｌ２が、図４に示すように梁部ＤＢの両側にある二つの下フランジＤＦの下フランジ間外側寸法Ｗ２よりも小さく形成されているのが好ましい。
【００２５】
このような寸法関係になっていれば、第一鉄筋支持脚部および第二鉄筋支持脚部をデッキプレートＤＰの梁部ＤＢの一方側にある下フランジＤＦに載置し、第三鉄筋支持脚部および第四鉄筋支持脚部を梁部ＤＢの他方にある下フランジＤＦに載置し、デッキプレートＤＰの梁部ＤＢを跨ぐように安定的に配設することができるからである。
【００２６】
本発明の配筋用スペーサ１００を構成する素材としては、ワイヤーメッシュＷＭを構成する鉄線、例えば日本工業規格ＪＩＳＧ３５３２「鉄線」で定義されているＳＷＭ―Ｐ、ＳＷＭ―Ｃ、ＳＷＭ―ＲまたはＳＷＭ―Ｉに適合したコンクリート用鉄線を用いることができ、これらは一般にミルシートにより機械的性質が確認・証明できるため好ましい。また、丸鋼や異形鉄筋を使用してもよい。
【００２７】
本発明の配筋用スペーサ１００が支持するひび割れ拡大防止用の鉄筋としては、溶接金網または鉄筋格子、すなわち、予め複数の鉄筋または鉄線を縦横に格子状に配置してスポット溶接またはワイヤによる締結等により一体としたいわゆるユニット鉄筋やワイヤーメッシュが好ましいが、施工現場で複数の鉄筋を格子状等に直組みしたものであっても構わない。本特許明細書においては、これらの代表としてワイヤーメッシュＷＭを用いて説明している。
【００２８】
本発明の配筋用スペーサ１００が支持するワイヤーメッシュＷＭは、その網目寸法Ｓが５０ｍｍ、７５ｍｍ、１００ｍｍ、１５０ｍｍ、２００ｍｍ、２５０ｍｍまたは３００ｍｍであるものを用いることができるが、これに限らない。
【００２９】
本発明の配筋用スペーサ１００を使用して合成スラブを施工する際には、デッキプレート上に配筋用スペーサ１００を概ね一定間隔で複数配設する。この間隔は、上記網目寸法Ｓの整数倍とすることが望ましく、通常は３倍乃至５倍程度であるが、この間隔の間で鉄筋が撓んでも所用のかぶり厚さを確保できる限り、任意の間隔で配設することができる。
【実施例１】
【００３０】
以下に、本発明の一実施例である配筋用スペーサ１００について、図１乃至図４に基づいて説明する。
ここで、図１は本発明の配筋用スペーサをデッキプレート上に配設し、ワイヤーメッシュを敷設した態様の模式図、図２は本発明の配筋用スペーサをデッキプレート上に載置した状態を示す斜視図、図３は本発明の第一の実施例に係る配筋用スペーサを示す三面図、図４は本発明の配筋用スペーサとデッキプレートの寸法関係を示す説明図である。
【００３１】
本実施例である配筋用スペーサ１００は、図１に示すように、デッキプレートの上面に複数の配筋用スペーサ１００を例えば８００ｍｍ間隔に配置し、さらに第一鉄筋載置部１１１及び第二鉄筋載置部１１２上にワイヤーメッシュＷＭを載置することにより、合成スラブを施工するためにコンクリートを打設する際に、デッキプレートからの高さを確保してワイヤーメッシュＷＭを敷設することに用いるものである。
【００３２】
具体的に、本実施例の配筋用スペーサ１００は、鋼製であって、図２および図３に示すように、直径６ｍｍのコンクリート用鉄線に曲げ加工を施して構成している。
第一鉄筋載置部１１１、第二鉄筋載置部１１２、第三鉄筋載置部１１３および第四鉄筋載置部１１４は放射状に水平配置されており、さらに、第一鉄筋載置部１１１と第二鉄筋載置部１１２と第三鉄筋載置部１１３と第四鉄筋載置部１１４とが、同一の高さに配置構成されており、第一鉄筋載置部１１１の近位端１１１ｂ、第二鉄筋載置部１１２の近位端１１２ｂ、第三鉄筋載置部１１３の近位端１１３ｂおよび第四鉄筋載置部１１４の近位端１１４ｂが相互に結合して結合部Ｃを形成している。
また、第一鉄筋載置部１１１の遠位端１１１ａから第一鉄筋支持脚部１２１がデッキプレートＤＰに向けて垂設され、第二鉄筋載置部１１２の遠位端１１２ａから第二鉄筋支持脚部１２２がデッキプレートＤＰに向けて垂設され、第三鉄筋載置部１１３の遠位端１１３ａから第三鉄筋支持脚部１２３がデッキプレートＤＰに向けて垂設され、第四鉄筋載置部１１４の遠位端１１４ａから第四鉄筋支持脚部１２４がデッキプレートＤＰに向けて垂設されている。
【００３３】
第一鉄筋支持脚部１２１、第二鉄筋支持脚部１２２、第三鉄筋支持脚部１２３および第四鉄筋支持脚部１２４の脚部長さｈはいずれも９５ｍｍであり、またそれぞれ直線状に構成されている第一鉄筋載置部１１１、第二鉄筋載置部１１２、第三鉄筋載置部１１３および第四鉄筋載置部１１４の長さはそれぞれ１２５ｍｍである。なお、第一鉄筋載置部と第四鉄筋載置部とが、直線状に配置構成され、第二鉄筋載置部と第三鉄筋載置部とが、直線状に配置構成されている。
第一鉄筋支持脚部１２１と第二鉄筋支持脚部１２２と第三鉄筋支持脚部１２３と第四鉄筋支持脚部１２４とを結ぶ線により形成される仮想長方形の長辺の長さ、すなわち第一鉄筋支持脚部１２１と第三鉄筋支持脚部１２３の間の距離、および第二鉄筋支持脚部１２２と第四鉄筋支持脚部１２４の間の距離のうち、各鉄筋支持脚部の相互に最も近い点を結んだ幅方向脚部間内側寸法Ｌ１が２００ｍｍ、また、各鉄筋支持脚部の相互に最も遠い点を結んだ幅方向脚部間外側寸法Ｌ２が２０６ｍｍである。
【００３４】
以下、本実施例の配筋用スペーサ１００を使用して合成スラブを施工する際の手順を説明する。
【００３５】
本実施例において用いられるデッキプレートＤＰは、サイノスデッキ（登録商標）と呼ばれているもので、その寸法は、梁支持部ＤＳに支持された梁部ＤＢの高さ、すなわちデッキプレートの最大高低差Ｈ＝９０（ｍｍ）、右立上部ＤＲと左立上部ＤＬ間の幅＝４００（ｍｍ）、表示厚さ＝１．０（ｍｍ）または１．２（ｍｍ）または１．６（ｍｍ）、梁部ＤＢの両側にある第一の下フランジＤＦおよび第二の下フランジＤＦの内側どうしの幅、すなわち下フランジ間内側寸法Ｗ１＝１５６（ｍｍ）、梁部ＤＢの両側にある第一の下フランジＤＦおよび第二の下フランジＤＦの外側どうしの幅、すなわち下フランジ間外側寸法Ｗ２＝２４３（ｍｍ）である。
合成スラブの施工では、まずデッキプレート工事として、デッキプレートを施工現場に搬入し、敷き込み、梁との接合、小口ふさぎ等を行った後に配筋工事を行う。
【００３６】
配筋工事においては、図１に示すように、本実施例に係る配筋用スペーサ１００をデッキプレートＤＰの梁部ＤＢを跨ぐように８００ｍｍ間隔で配置し、幅方向には適宜間隔で配置することにより、配筋用スペーサ１００を配設する。この際、図４に示すように、第一鉄筋支持脚部１２１および第二鉄筋支持脚部１２２をデッキプレートの梁部ＤＢの一方側にある第一の下フランジＤＦに載置し、第三鉄筋支持脚部１２３および第四鉄筋支持脚部１２４を梁部ＤＢの他方側にある第二の下フランジＤＦに載置し、第一鉄筋載置部１１１、第二鉄筋載置部１１２、第三鉄筋載置部１１３および第四鉄筋載置部１１４がデッキプレートＤＰの梁部ＤＢを跨ぐように安定的に配設する。
【００３７】
その後に、等間隔で配設されている配筋用スペーサ１００の上に、直径６（ｍｍ）の丸鋼からなり網目寸法Ｓ＝１５０（ｍｍ）のワイヤーメッシュＷＭを、重ね長さ３００ｍｍで敷設し継ぎ手部の処理を行う。これにより、配筋スペーサがワイヤーメッシュの底面に配置されることになる。
【００３８】
配筋工事の後にコンクリート工事を行う。コンクリート工事としてコンクリートの打ち込みと養生を行ってコンクリート層ＲＣを形成し、合成スラブが完成する。
【実施例２】
【００３９】
次に、本発明の第二の実施例である、配筋用スペーサ１００を用いる他の施工方法について図５に基づいて説明する。
【００４０】
本実施例においては、Ｌ１＝１５０（ｍｍ）、Ｌ２＝１５６（ｍｍ）に構成し、配筋用スペーサ１００が梁部ＤＢを跨がないように、隣接する梁部ＤＢの間にある第一の下フランジＤＦ上に第一鉄筋支持脚部１２１と第二鉄筋支持脚部１２２とを載置し、第二の下フランジＤＦ上に第三鉄筋支持脚部１２３と第四鉄筋支持脚部１２４とを載置したこと以外は、実施例１と同様に配筋用スペーサ１００を構成し、コンクリート工事を行っている。
【実施例３】
【００４１】
次に、本発明の第三の実施例である、配筋用スペーサ１００を用いる他の施工方法について図６に基づいて説明する。
【００４２】
本実施例において用いられるデッキプレートＤＰは、上方に突出する梁部を有さない、いわゆる溝広タイプ５０と呼ばれているもので、その寸法は、その山部高さすなわちデッキプレートの最大高低差Ｈ＝５０（ｍｍ）、単位幅Ｂ＝３００（ｍｍ）、溝下寸法ｂ＝１２５（ｍｍ）、表示厚さｔ＝１．２（ｍｍ）、山部幅すなわち下フランジ間内側寸法Ｗ１＝１７５（ｍｍ）である。
【００４３】
また、本実施例で用いる配筋用スペーサ１００は、Ｌ１＝２１０（ｍｍ）、Ｌ２＝２１６（ｍｍ）である以外は実施例１と同様に構成している。
【００４４】
本実施例においては、第一鉄筋支持脚部１２１および第二鉄筋支持脚部１２２をデッキプレートの山部ＰＰの一方側に隣接する第一の下フランジＤＦ上に載置し、第三鉄筋支持脚部１２３および第四鉄筋支持脚部１２４を山部ＰＰの他方側に隣接する第二の下フランジＤＦ上に載置し、第一鉄筋載置部１１１と第二鉄筋載置部１１２と第三鉄筋載置部１１３と第四鉄筋載置部１１４とが、デッキプレートＤＰの山部ＰＰを跨ぐように安定的に配設する以外は、実施例１と同様にコンクリート工事を行っている。
【実施例４】
【００４５】
以下に、本発明の第四の実施例である配筋用スペーサ１００′について、図７に基づいて説明する。図７は本発明の第四の実施例である配筋用スペーサ１００′を示す斜視図である。
【００４６】
本実施例に係る配筋用スペーサ１００′は、結合部Ｃ′における具体的な結合の態様が異なる以外は、実施例１に係る配筋用スペーサ１００と同様に構成している。
本実施例においては、第一鉄筋載置部１１１′と第四鉄筋載置部１１４′とが同一の高さで直線状に配置構成され、 第二鉄筋載置部１１２′と第三鉄筋載置部１１３′とが、同一の高さで直線状に配置構成されており、さらに、第一鉄筋支持脚部１２１′と第一鉄筋載置部１１１′第四鉄筋載置部１１４′と第四鉄筋支持脚部１２４′とがこの配置順序で一連一体に構成されてコの字型を形成しており、また、第二鉄筋支持脚部１２２と第二鉄筋載置部１１２′と第三鉄筋載置部１１３′と第三鉄筋支持脚部１２３′とがこの配置順序で一連一体に構成されてコの字型を形成しており、これら二つのコの字型の構成が、結合部Ｃ′において上下に重なる交差状に配置されて溶接されている。
このような構成とすれば、低コストで配筋用スペーサ１００′を製造し、この配筋用スペーサ１００′を用いてコンクリート工事を行い、実施例１の場合とほぼ同様の効果を得ることができる。
【００４７】
以上説明したように、本発明の配筋用スペーサおよび合成スラブの施工方法によれば、第一の下フランジ上に第一鉄筋支持脚部および第二鉄筋支持脚部を載置し、第二の下フランジ上に第三鉄筋支持脚部および第四鉄筋支持脚部を載置することにより、第一鉄筋支持脚部と第一鉄筋載置部と第四鉄筋載置部と第四鉄筋支持脚部とが形成するゲート状の構成と、第二鉄筋支持脚部と第二鉄筋載置部と第三鉄筋載置部と第三鉄筋支持脚部とが形成するゲート状の構成とが、それぞれワイヤーメッシュ等の荷重を支持するとともに荷重を四つの支持脚部に分散し、さらに各ゲート状の構成が相互に転倒を防止しているため、コンクリート用鉄線で構成されていても十分な強度を発揮し、デッキプレート上に載置しても転倒しにくく、上方に突出する梁部を有するデッキプレートを使用する場合であっても、梁部への加重を避け、ワイヤーメッシュを安定して支持することができる。
【符号の説明】
【００４８】
１００、１００′・・・・・配筋用スペーサ
１１１、１１１′・・・・・第一鉄筋載置部
１１１ａ、１１１ａ′・・・第一鉄筋載置部の遠位端
１１１ｂ、１１１ｂ′・・・第一鉄筋載置部の近位端
１１２、１１２′・・・・・第二鉄筋載置部
１１２ａ、１１２ａ′・・・第二鉄筋載置部の遠位端
１１２ｂ、１１１ｂ′・・・第二鉄筋載置部の近位端
１１３、１１３′・・・・・第三鉄筋載置部
１１３ａ、１１３ａ′・・・第三鉄筋載置部の遠位端
１１３ｂ、１１３ｂ′・・・第三鉄筋載置部の近位端
１１４、１１４′・・・・・第四鉄筋載置部
１１４ａ、１１４ａ′・・・第四鉄筋載置部の遠位端
１１４ｂ、１１４ｂ′・・・第四鉄筋載置部の近位端
１２１、１２１′・・・・・第一鉄筋支持脚部
１２２、１２２′・・・・・第二鉄筋支持脚部
１２３、１２３′・・・・・第三鉄筋支持脚部
１２４、１２４′・・・・・第四鉄筋支持脚部
Ｃ、Ｃ′・・・・・・・・・結合部
ｈ・・・・・・・・・・・・脚部長さ
Ｌ１・・・・・・・・・・・幅方向脚部間内側寸法
Ｌ２・・・・・・・・・・・幅方向脚部間外側寸法
ＤＰ・・・・・・・・・・・デッキプレート
ＵＦ・・・・・・・・・・・上フランジ
ＤＦ・・・・・・・・・・・下フランジ
ＤＢ・・・・・・・・・・・梁部
ＤＳ・・・・・・・・・・・梁支持部
ＤＲ・・・・・・・・・・・右立上部
ＤＬ・・・・・・・・・・・左立上部
Ｗ１・・・・・・・・・・・下フランジ間内側寸法
Ｗ２・・・・・・・・・・・下フランジ間外側寸法
Ｈ・・・・・・・・・・・・デッキプレートの最大高低差（梁部高さ、山部高さ）
ＷＭ・・・・・・・・・・・ワイヤーメッシュ
Ｓ・・・・・・・・・・・・網目寸法
ＲＣ・・・・・・・・・・・コンクリート層
Ｂ・・・・・・・・・・・・単位幅
ｂ・・・・・・・・・・・・溝下寸法
ＰＰ・・・・・・・・・・・山部
【図１】
2020060047.tif 000003
【図２】
2020060047.tif 000004
【図３】
2020060047.tif 000005
【図４】
2020060047.tif 000006
【図５】
2020060047.tif 000007
【図６】
2020060047.tif 000008
【図７】
2020060047.tif 000009